【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
少なくともＣＰＵと記憶装置と入力装置とディスプレイとリアル・タイム・クロックを含むコンピュータ・システムのディスプレイ・スクリーン上で、短針及び長針を用いて時刻をアナログ表示するための時刻表示装置において、
前記リアル・タイム・クロックが発生する現在時刻を読み取るための計時装置と、
時分に対応する複数の分目盛を円環状に並べた時刻表示パネルを前記ディスプレイ・スクリーン上に表示するためのパネル表示手段と、
前記計時装置が読み取った現在時刻の時情報及び分情報に対応する回転位置を指示する短針及び長針の各々を、前記時刻表示パネル上に表示するための時刻表示制御装置と、
所定のスケジュール設定時刻を分単位で記憶するためのスケジュール記憶手段と、
前記計時手段が読み取った現在時刻の時情報が示す１時間分に該当するスケジュール設定時刻を前記スケジュール記憶手段から読み出す読出手段と、
前記読出手段によって読み出された１時間分の各スケジュール設定時刻を示すアイコンを、前記時刻表示パネル上の対応する分目盛近傍に表示するスケジュール表示手段と、
を具備することを特徴とする時刻表示装置。
【請求項２】
前記スケジュール表示手段は、時分を表す分目盛とは異なる形状、模様若しくは色彩でスケジュール設定時刻のアイコンを表示する、
ことを特徴とする請求項１に記載の時刻表示装置。
【請求項３】
前記スケジュール表示手段は、現在時刻とスケジュール設定時刻との時間差を演算する演算手段と、現在時刻がスケジュール設定時刻を経過することに応答して該スケジュール設定時刻の表示形態を変化させる表示変更手段を含む、
ことを特徴とする請求項１に記載の時刻表示装置。
【請求項４】
少なくともＣＰＵと記憶装置と入力装置とディスプレイとリアル・タイム・クロックを含むコンピュータ・システムのディスプレイ・スクリーン上で、短針及び長針を用いて時刻をアナログ表示するための時刻表示装置において、
前記リアル・タイム・クロックが発生する現在時刻を読み取るための計時装置と、
時分に対応する複数の分目盛を円環状に並べた時刻表示パネルを前記ディスプレイ・スクリーン上に表示するためのパネル表示手段と、
前記計時装置が読み取った現在時刻の時情報及び分情報に対応する回転位置を指示する短針及び長針の各々を、前記時刻表示パネル上に表示するための時刻表示制御装置と、
少なくとも１つの路線上の少なくとも１つの駅における列車の発車時刻表を記憶するための時刻表記憶手段と、
前記計時手段が読み取った現在時刻の時情報が示す１時間分に該当する列車の発車時刻を前記時刻表記憶手段から読み出す時刻表読出手段と、
前記時刻表読出手段によって読み出された１時間分の各発車時刻を示す発車時刻アイコンを、前記時刻表示パネル上の対応する分目盛近傍に表示する発車時刻表示手段と、
を具備することを特徴とする時刻表示装置。
【請求項５】
前記発車時刻表示手段は、時分を表す分目盛とは異なる形状、模様若しくは色彩で各発車時刻アイコンを表示する、
ことを特徴とする請求項４に記載の時刻表示装置。
【請求項６】
前記発車時刻表示手段は、現在時刻と発車時刻との時間差を演算する演算手段と、現在時刻が発車時刻を経過することに応答して発車時刻のアイコン表示形態を変化させる表示変更手段とを含む、
ことを特徴とする請求項４に記載の時刻表示装置。
【請求項７】
所望の路線の所望の駅における列車の時刻表を前記時刻表記憶手段に登録するための登録手段を含む、
ことを特徴とする請求項４に記載の時刻表示装置。
【請求項８】
少なくともＣＰＵと記憶装置と入力装置とディスプレイとリアル・タイム・クロックを含むコンピュータ・システムのディスプレイ・スクリーン上に、時刻をアナログ表示するための時刻表示方法において、
所望の路線の所望の駅における列車の時刻表を予め前記記憶装置中に登録しておく段階と、
前記リアル・タイム・クロックが発生する現在時刻を読み取る段階と、
時分に対応する複数の分目盛を円環状に並べた時刻表示パネルを前記ディスプレイ・スクリーン上に表示する段階と、
現在時刻の時情報が示す１時間分に該当する列車の発車時刻を前記記憶装置から読み出す段階と、
読み出された１時間分の各発車時刻を示す発車時刻アイコンを、前記時刻表示パネル上の対応する分目盛近傍に表示する段階と、
現在時刻の時情報及び分情報に対応する短針及び長針の各々を、前記時刻表示パネル上に表示する段階と、
を具備することを特徴とする時刻表示方法。
【請求項９】
少なくともＣＰＵと記憶装置と入力装置とディスプレイとリアル・タイム・クロックを含むコンピュータ・システムのディスプレイ・スクリーン上に、時刻をアナログ表示するための時刻表示方法において、
所望の路線の所望の駅における列車の時刻表を予め前記記憶装置中に登録しておく段階と、
前記記憶装置中に登録された１以上の時刻表のうちから表示したいものを予め選択する段階と、
前記リアル・タイム・クロックが発生する現在時刻を読み取る段階と、
時分に対応する複数の分目盛を円環状に並べた時刻表示パネルを前記ディスプレイ・スクリーン上に表示する段階と、
現在時刻の時情報が示す１時間分に該当する列車の発車時刻を前記記憶装置から読み出す段階と、
読み出された１時間分の各発車時刻を示す発車時刻アイコンを、前記時刻表示パネル上の対応する分目盛近傍に表示する段階と、
現在時刻の時情報及び分情報に対応する回転位置を指示する短針及び長針の各々を、前記時刻表示パネル上に表示する段階と、
を具備することを特徴とする時刻表示方法。
【請求項１０】
時分を表す分目盛とは異なる形状、模様若しくは色彩で列車の発車時刻アイコンを表示する、
ことを特徴とする請求項８又は９のいずれかに記載の時刻表示方法。
【請求項１１】
現在時刻と発車時刻との時間差を演算した結果、現在時刻が発車時刻を経過したことに応答して発車時刻のアイコン表示形態を変化させる段階を含む、
ことを特徴とする請求項８又は９のいずれかに記載の時刻表示方法。
【請求項１２】
少なくともＣＰＵと記憶装置と入力装置とディスプレイとリアル・タイム・クロックを含むコンピュータ・システム上で稼働する、ディスプレイ・スクリーン上に時刻をアナログ表示するためのコンピュータ・プログラムを有形的に格納したコンピュータ可読記憶媒体であって、前記コンピュータ・プログラムは、
所望の路線の所望の駅における列車の時刻表を予め前記記憶装置中に登録しておくステップと、
前記リアル・タイム・クロックが発生する現在時刻を読み取るステップと、
時分に対応する複数の分目盛を円環状に並べた時刻表示パネルを前記ディスプレイ・スクリーン上に表示するステップと、
現在時刻の時情報が示す１時間分に該当する列車の発車時刻を前記記憶装置から読み出すステップと、
読み出された１時間分の各発車時刻を示す発車時刻アイコンを、前記時刻表示パネル上の対応する分目盛近傍に表示するステップと、
現在時刻の時情報及び分情報に対応する回転位置を指示する短針及び長針の各々を、前記時刻表示パネル上に表示するステップと、
を含むことを特徴とするコンピュータ可読記憶媒体。
【請求項１３】
少なくともＣＰＵと記憶装置と入力装置とディスプレイとリアル・タイム・クロックを含むコンピュータ・システム上で稼働する、ディスプレイ・スクリーン上に時刻をアナログ表示するためのコンピュータ・プログラムを有形的に格納したコンピュータ可読記憶媒体であって、前記コンピュータ・プログラムは、
所望の路線の所望の駅における列車の時刻表を予め前記記憶装置中に登録しておくステップと、
前記記憶装置中に登録された１以上の時刻表のうちから表示したいものを予め選択するステップと、
前記リアル・タイム・クロックが発生する現在時刻を読み取るステップと、
時分に対応する複数の分目盛を円環状に並べた時刻表示パネルを前記ディスプレイ・スクリーン上に表示するステップと、
現在時刻の時情報が示す１時間分に該当する列車の発車時刻を前記記憶装置から読み出すステップと、
読み出された１時間分の各発車時刻を示す発車時刻アイコンを、前記時刻表示パネル上の対応する分目盛近傍に表示するステップと、
現在時刻の時情報及び分情報に対応する回転位置を指示する短針及び長針の各々を、前記時刻表示パネル上に表示するステップと、
を含むことを特徴とするコンピュータ可読記憶媒体。
【請求項１４】
発車時刻のアイコンを表示するステップでは、時分を表す分目盛とは異なる形状、模様若しくは色彩を用いる、
ことを特徴とする請求項１２又は１３のいずれかに記載のコンピュータ可読記憶媒体。
【請求項１５】
現在時刻と発車時刻との時間差を演算した結果、現在時刻が発車時刻を経過したことに応答して発車時刻のアイコン表示形態を変化させるステップを含む、
ことを特徴とする請求項１２又は１３のいずれかに記載のコンピュータ可読記憶媒体。
【請求項１６】
さらに、ユーザが指定した時間間隔だけ先の時刻を基準に発車時刻アイコンを表示する手段を含む、
ことを特徴とする請求項４に記載の時刻表示装置。
【請求項１７】
さらに、ユーザが指定した時間間隔だけ先の時刻を基準に発車時刻アイコンを表示する段階を含む、
ことを特徴とする請求項８又は９のいずれかに記載の時刻表示方法。
【請求項１８】
さらに、ユーザが指定した時間間隔だけ先の時刻を基準に発車時刻アイコンを表示するステップを含む、
ことを特徴とする請求項１２又は１３のいずれかに記載のコンピュータ可読記憶媒体。
【請求項１９】
さらに、駅までの所要時間を登録する手段と、現在時刻に該登録された所要時間を加えた時刻に対応する分目盛近傍に到着アイコンを表示する手段とを含み、
前記時刻表読出手段は、現在時刻に該登録された所要時間を加えた時刻の時情報が示す１時間分に該当する列車の発車時刻を前記時刻表記憶手段から読み出す、
ことを特徴とする請求項４に記載の時刻表示装置。
【請求項２０】
さらに、駅までの所要時間を登録する手段と、現在時刻に該登録された所要時間を加えた時刻に対応する分目盛近傍に到着アイコンを表示する手段とを含み、
前記発車時刻表示手段は、現在時刻に該登録された所要時間を加えた時刻との差を演算する手段と、現在時刻に該登録された所要時間を加えた時刻が発車時刻を経過したことに応答して発車時刻のアイコン表示形態を変化させる表示変更手段を含む、
ことを特徴とする請求項６に記載の時刻表示装置。
【請求項２１】
さらに、駅までの所要時間を登録する段階と、現在時刻に該登録された所要時間を加えた時刻に対応する分目盛近傍に到着アイコンを表示する段階とを含み、
前記列車の発車時刻を読み出す段階では、現在時刻に該登録された所要時間を加えた時刻の時情報が示す１時間分に該当する列車の発車時刻を前記時刻表記憶装置から読み出す、
ことを特徴とする請求項８又は９のいずれかに記載の時刻表示方法。
【請求項２２】
さらに、駅までの所要時間を登録する段階と、現在時刻に該登録された所要時間を加えた時刻に対応する分目盛近傍に到着アイコンを表示する段階と、現在時刻に該登録された所要時間を加えた時刻との差を演算した結果、現在時刻に該登録された所要時間を加えた時刻が発車時刻を経過したことに応答して発車時刻のアイコン表示形態を変化させる段階を含む、
ことを特徴とする請求項１１に記載の時刻表示方法。
【請求項２３】
さらに、駅までの所要時間を登録するステップと、現在時刻に該登録された所要時間を加えた時刻に対応する分目盛近傍に到着アイコンを表示するステップとを含み、
前記列車の発車時刻を読み出すステップでは、現在時刻に該登録された所要時間を加えた時刻の時情報が示す１時間分に該当する列車の発車時刻を前記時刻表記憶装置から読み出す、
ことを特徴とする請求項１２又は１３のいずれかに記載のコンピュータ可読記憶媒体。
【請求項２４】
さらに、駅までの所要時間を登録するステップと、現在時刻に該登録された所要時間を加えた時刻に対応する分目盛近傍に到着アイコンを表示するステップと、現在時刻に該登録された所要時間を加えた時刻との差を演算した結果、現在時刻に該登録された所要時間を加えた時刻が発車時刻を経過したことに応答して発車時刻のアイコン表示形態を変化させるステップを含む、
ことを特徴とする請求項１５に記載のコンピュータ可読記憶媒体。
【請求項２５】
少なくともＣＰＵと記憶装置と入力装置とディスプレイとリアル・タイム・クロックを含むコンピュータ・システムのディスプレイ・スクリーン上で、短針及び長針を用いて時刻をアナログ表示するための時刻表示装置において、
前記リアル・タイム・クロックが発生する現在時刻を読み取るための計時装置と、
前記計時装置が読み取った時情報及び分情報に従って、前記ディスプレイ・スクリーン上に現在時刻を表示するための時刻表示制御装置と、
前記ディスプレイ・スクリーン上に表示された現在時刻に応じて、列車の発車時刻を示す発車時刻アイコンを併せて表示する発車時刻表示手段と、
発車時刻アイコンを座標指示したことに応答して、該アイコンに対応する列車の運行情報（例えば路線上の各駅での停車予定時刻）を表示する運行情報表示手段と、
を具備することを特徴とする時刻表示装置。
【請求項２６】
少なくともＣＰＵと記憶装置と入力装置とディスプレイとリアル・タイム・クロックを含むコンピュータ・システムのディスプレイ・スクリーン上で、短針及び長針を用いて時刻をアナログ表示するための時刻表示装置において、
前記リアル・タイム・クロックが発生する現在時刻を読み取るための計時装置と、
前記計時装置が読み取った時情報及び分情報に従って、前記ディスプレイ・スクリーン上に現在時刻を表示するための時刻表示制御装置と、
前記ディスプレイ・スクリーン上に表示された現在時刻に応じて、列車の発車時刻を示す発車時刻アイコンを併せて表示する発車時刻表示手段と、
前記計時装置が読み取った現在時刻の経過に応答して、発車時刻アイコンの表示形態を変更する発車時刻表示変更手段と、
を具備することを特徴とする時刻表示装置。
【請求項２７】
少なくともＣＰＵと記憶装置と入力装置とディスプレイとリアル・タイム・クロックを含むコンピュータ・システムのディスプレイ・スクリーン上に、時刻をアナログ表示するための時刻表示方法において、
前記リアル・タイム・クロックが発生する現在時刻を読み取る段階と、
読み取った現在時刻の時情報及び分情報に従って、前記ディスプレイ・スクリーン上に現在時刻を表示する段階と、
前記ディスプレイ・スクリーン上に表示された現在時刻に応じて、列車の発車時刻を示す発車時刻アイコンを併せて表示する段階と、
発車時刻アイコンを座標指示したことに応答して、該アイコンに対応する列車の運行情報（例えば路線上の各駅での停車予定時刻）を表示する段階と、
を具備することを特徴とする時刻表示方法。
【請求項２８】
少なくともＣＰＵと記憶装置と入力装置とディスプレイとリアル・タイム・クロックを含むコンピュータ・システムのディスプレイ・スクリーン上に、時刻をアナログ表示するための時刻表示方法において、
前記リアル・タイム・クロックが発生する現在時刻を読み取る段階と、
読み取った現在時刻の時情報及び分情報に従って、前記ディスプレイ・スクリーン上に現在時刻を表示する段階と、
前記ディスプレイ・スクリーン上に表示された現在時刻に応じて、列車の発車時刻を示す発車時刻アイコンを併せて表示する段階と、
読み取った現在時刻の経過に応答して、発車時刻アイコンの表示形態を変更する段階と、
を具備することを特徴とする時刻表示方法。
【請求項２９】
少なくともＣＰＵと記憶装置と入力装置とディスプレイとリアル・タイム・クロックを含むコンピュータ・システム上で稼働する、ディスプレイ・スクリーン上に時刻をアナログ表示するためのコンピュータ・プログラムを有形的に格納したコンピュータ可読記憶媒体であって、前記コンピュータ・プログラムは、
前記リアル・タイム・クロックが発生する現在時刻を読み取るステップと、
読み取った現在時刻の時情報及び分情報に従って、前記ディスプレイ・スクリーン上に現在時刻を表示するステップと、
前記ディスプレイ・スクリーン上に表示された現在時刻に応じて、列車の発車時刻を示す発車時刻アイコンを併せて表示するステップと、
発車時刻アイコンを座標指示したことに応答して、該アイコンに対応する列車の運行情報（例えば路線上の各駅での停車予定時刻）を表示するステップと、
を含むことを特徴とするコンピュータ可読記憶媒体。
【請求項３０】
少なくともＣＰＵと記憶装置と入力装置とディスプレイとリアル・タイム・クロックを含むコンピュータ・システム上で稼働する、ディスプレイ・スクリーン上に時刻をアナログ表示するためのコンピュータ・プログラムを有形的に格納したコンピュータ可読記憶媒体であって、前記コンピュータ・プログラムは、
前記リアル・タイム・クロックが発生する現在時刻を読み取るステップと、
読み取った現在時刻の時情報及び分情報に従って、前記ディスプレイ・スクリーン上に現在時刻を表示するステップと、
前記ディスプレイ・スクリーン上に表示された現在時刻に応じて、列車の発車時刻を示す発車時刻アイコンを併せて表示するステップと、
読み取った現在時刻の経過に応答して、発車時刻アイコンの表示形態を変更するステップと、
を含むことを特徴とするコンピュータ可読記憶媒体。